(57)【要約】【課題】第１カードの挿入に際して、第２コンタクト端子の第１カードの接触部への接触の防止とともに、第２コンタクト端子と近接した配置となっている第３コンタクト端子の座屈などの損傷を防止することができるカード用コネクタ装置の提供。【解決手段】第２カード２の接触部２ａに接触可能な第２コンタクト端子６が突出可能な開口部１１ｂを有し、第１カード１及び第３カード３の挿入に伴って第２コンタクト端子６を第１カード１及び第３カード３から離す方向に移動させる第１カム板１１を備え、この第１カム板１１が、例えばその先端部１１ｃの付近に、第３カード３の第２接触部３ｂに接触可能な第３コンタクト端子７ｂを、第１カード１の挿入に伴ってこの第１カード１から離れる方向に移動させる押圧部１１ｄを有する構成にしてある。【選択図】図１１
2008071582.tif 000002
【特許請求の範囲】
【請求項１】
第１カードと、この第１カードよりも短い第２カードと、上記第１カードと上記第２カードの中間の長さの第３カードとが、それぞれ選択的に装着可能な装着空間を有するハウジングと、
このハウジングに設けられ、上記第１カードの接触部に接触可能な第１コンタクト端子と、この第１コンタクト端子よりもカード挿入口側に配置され、上記第２カードの接触部に接触可能な第２コンタクト端子と、上記第１コンタクト端子と上記第２コンタクト端子の間のハウジングの位置に配置され、上記第３カードの接触部に接触可能な第３コンタクト端子とを備えるとともに、
上記第２コンタクト端子が突出可能な開口部を有し、上記第１カード及び上記第３カードの挿入に伴って上記第２コンタクト端子を上記第１カード及び上記第３カードから離す方向に移動させるカム板を備え、
このカム板が、上記第１カードの挿入に伴って上記第３コンタクト端子を上記第１カードから離れる方向に移動させるように押圧する押圧部を有することを特徴とするカード用コネクタ装置。
【請求項２】
上記請求項１記載の発明において、
上記カム板が、上記ハウジングに回動軸を介して回動可能に取り付けられ、上記第２カードの挿入に際して、この第２カードと係合せず、上記第１カード及び上記第３カードの挿入に際して、これらの第１カード及び上記第３カードに係合する先端部を有するとともに、
上記押圧部を上記先端部の付近に設け、上記回動軸が上記カード挿入口側で上記先端部が装置奥側に位置するように配置され、
上記第１カード及び上記第３カードとの係合により上記カム板が回動して上記第２コンタクト端子を移動させることを特徴とするカード用コネクタ装置。
【請求項３】
上記請求項２記載の発明において、
上記先端部は、上記開口部から突出した上記第２コンタクト端子よりも上記装着空間側に突出するように形成されていることを特徴とするカード用コネクタ装置。
【請求項４】
上記請求項１〜３のいずれか１項記載の発明において、
上記第１カード、上記第２カード、及び上記第３カードに係合するスライド部材と、このスライド部材をカード排出方向へ付勢する付勢部材と、上記第１カード、上記第２カード、及び上記第３カードのそれぞれが所定の装着位置に保持された状態で、上記スライド部材をロックするロック機構とを備えたことを特徴とするカード用コネクタ装置。
【発明の詳細な説明】
【技術分野】
【０００１】
本発明は、長さの異なる複数のカードのそれぞれを選択的に装着可能な装着空間を有するハウジングを備えたカード用コネクタ装置に関する。
【背景技術】
【０００２】
この種の従来技術として、特許文献１に示されるものがある。この従来技術は、第１カードと、この第１カードよりも短い第２カードのそれぞれが装着可能な装着空間を有するハウジングと、このハウジングに設けられ、第１カードの接触部に接触可能な第１端子部材、すなわち第１コンタクト端子と、この第１コンタクト端子よりもカード挿入口側に配置され、第２カードの接触部が接触可能な第２端子部材、すなわち第２コンタクト端子とを備えている。また、第１カードの挿入に伴って、第２コンタクト端子の先端部を押圧支持する押圧部材を備え、この押圧部材によって、第１カードの挿入時に、第１カードの接触部に第２コンタクト端子を接触させないようにしている。
【特許文献１】特開２００４−７１２５７公報
【発明の開示】
【発明が解決しようとする課題】
【０００３】
上述した従来技術では、第１カードと第２カードの２つのカードの装着が可能であるが、さらに第１カード、第２カードとは異なる第３カード、すなわち第１カードと第２カードの中間の長さの第３カードの装着も可能とするハウジングを備えたカード用コネクタ装置も要望されてきている。このようなカード用コネクタ装置にあっては、第１カードの接触部に接触する第１コンタクト端子と、第２カードの接触部に接触する第２コンタクト端子との間に、第３カードの接触部と接触する第３コンタクト端子を配置することが考えられる。
【０００４】
この場合、第１カードの挿入に際して、第１カードの接触部に、第２コンタクト端子及び第３コンタクト端子が接触しないようにするためには、上述した従来技術における押圧部材に相当するものを、カード挿抜方向に沿って２つ並設することが必要となる。すなわち、第１カードの挿入に際して、第１カードの接触部と接触しないように第２コンタクト端子を移動させる部材と、第１カードの挿入に際して、第１カードの接触部と接触しないように第３コンタクト端子を移動させる部材とが必要になる。
【０００５】
第３コンタクト端子は、第１カードの挿入に際しては接触しない位置に移動し、第３カードの挿入に際しては接触する位置に配置される必要があるが、第３コンタクト端子と第２コンタクト端子が近接した配置となった場合、第３コンタクト端子を移動させる部材は第３コンタクト端子に対して装置奥側に配置することとなり、第１カードの挿入に際して、第１カードが第３コンタクト端子を移動させる部材と接触する前に第３コンタクト端子と接触することとなる。この場合には、第１カードの挿入により第３コンタクト端子が座屈するなどの損傷を受ける可能性がある。
【０００６】
本発明は、上述した従来技術における実状からなされたもので、その目的は、第１カード、第２カード、及び第３カードの装着が可能であるとともに、第１カードの挿入に際して、第２コンタクト端子の第１カードの接触部への接触の防止とともに、第２コンタクト端子と近接した配置となっている第３コンタクト端子の座屈などの損傷を防止することができるカード用コネクタ装置を提供することにある。
【課題を解決するための手段】
【０００７】
この目的を達成するために、本発明は、第１カードと、この第１カードよりも短い第２カードと、上記第１カードと上記第２カードの中間の長さの第３カードとが、それぞれ選択的に装着可能な装着空間を有するハウジングと、このハウジングに設けられ、上記第１カードの接触部に接触可能な第１コンタクト端子と、この第１コンタクト端子よりもカード挿入口側に配置され、上記第２カードの接触部に接触可能な第２コンタクト端子と、上記第１コンタクト端子と上記第２コンタクト端子の間のハウジングの位置に配置され、上記第３カードの接触部に接触可能な第３コンタクト端子とを備えるとともに、上記第２コンタクト端子が突出可能な開口部を有し、上記第１カード及び上記第３カードの挿入に伴って上記第２コンタクト端子を上記第１カード及び上記第３カードから離す方向に移動させるカム板を備え、このカム板が、上記第１カードの挿入に伴って上記第３コンタクト端子を上記第１カードから離れる方向に移動させるように押圧する押圧部を有することを特徴としている。
【０００８】
このように構成した本発明は、長さの短い第２カードが挿入され、ハウジング内の所定の装着位置に保持された際には、第２コンタクト端子がカム板の開口部から突出して第２カードの接触部に接触する。したがって、第２カードに対する信号の送受信が可能となる。
【０００９】
また、第２カードよりも長い第３カードが挿入されると、カム板が第２コンタクト端子を第３カードから離す方向に移動させ、第３カードの接触部が第２コンタクト端子に接触することが防止される。第３カードが所定の装着位置に保持された際には、第３コンタクト端子が第３カードの接触部に接触する。したがって、第３カードに対する信号の送受信が可能となる。
【００１０】
また、第３カードよりも長い第１カードが挿入されると、カム板が第２コンタクト端子を第１カードから離す方向に移動させるとともに、このカム板の押圧部が第３コンタクト端子を第１カードから離す方向に移動させ、第１カードの接触部が第２コンタクト端子に接触することが防止されるとともに、第３コンタクト端子が座屈などの損傷を受けることが防止される。第１カードが所定の装着位置に保持された際には、第１コンタクト端子が第１カードの接触部に接触する。したがって、第１カードに対する信号の送受信が可能となる。
【００１１】
すなわち、第１カード、第２カード、及び第３カードの装着が可能であるとともに、第１カードの挿入に際して、第２コンタクト端子の第１カードへの接触の防止とともに、第３コンタクト端子の座屈などの損傷を防止することを１つのカム板で実現させることができる。
【００１２】
また、本発明は上記発明において、上記カム板が、上記ハウジングに回動軸を介して回動可能に取り付けられ、上記第２カードの挿入に際して、この第２カードと係合せず、上記第１カード及び上記第３カードの挿入に際して、これらの第１カード及び上記第３カードに係合する先端部を有するとともに、上記押圧部を上記先端部の付近に設け、上記回動軸が上記カード挿入口側で上記先端部が装置奥側に位置するように配置され、上記第１カード及び上記第３カードとの係合により上記カム板が回動して上記第２コンタクト端子を移動させることを特徴としている。
【００１３】
このように構成した本発明は、第１カードあるいは第３カードが挿入された際には、カム板の回動支点から遠い先端部を介して第２コンタクト端子を移動させるので、第２コンタクト端子の移動量を大きくすることができる。また、第１カードが挿入された際には、カム板の先端部付近の押圧部を介して第３コンタクト端子を移動させるので、第３コンタクト端子の移動量も大きくすることができる。
【００１４】
また、本発明は上記発明において、上記先端部は、上記開口部から突出した上記第２コンタクト端子よりも上記装着空間側に突出するように形成されていることを特徴としている。
【００１５】
このように構成した本発明は、先端部が第２コンタクト端子よりも装着空間側に位置していることで、第１カードがハウジング内に挿入され移動する際に、第１カードが先端部とのみ係合するので、第１カードが第２コンタクト端子と接触することがない。
【００１６】
また、本発明は上記発明において、上記第１カード、上記第２カード、及び上記第３カードに係合するスライド部材と、このスライド部材をカード排出方向へ付勢する付勢部材と、上記第１カード、上記第２カード、及び上記第３カードのそれぞれが所定の装着位置に保持された状態で、上記スライド部材をロックするロック機構とを備えたことを特徴としている。
【００１７】
このように構成した本発明は、所定の装着位置に保持されている第１カード、第２カード、または第３カードの排出時には、ロック機構のロックを解除させることにより、付勢部材によってスライド部材がカード挿入口方向へ移動し、このスライド部材を介して第１カード、第２カード、または第３カードを排出させることができる。
【発明の効果】
【００１８】
本発明は、ハウジングに第１コンタクト端子、第２コンタクト端子、及び第３コンタクト端子を形成したことから、これらの第１コンタクト端子、第２コンタクト端子、及び第３コンタクト端子のそれぞれに、第１カード、第２カード、第３カードの対応する接触部を接触させることにより、第１カード、第２カード、第３カードのそれぞれの装着が可能となり、優れた信号処理能力を確保できる。
【００１９】
また、第２コンタクト端子が突出可能な開口部を有し、第１カード及び第３カードの挿入に伴って第２コンタクト端子を第１カード及び第３カードから離す方向に移動させるカム板を備え、このカム板が、第１カードの挿入に伴って第３コンタクト端子を第１カードから離れる方向に移動させる押圧部を有することから、第１カードの挿入に際して、第２コンタクト端子の第１カードへの接触の防止とともに、第３コンタクト端子の座屈などの損傷を防止することができ、製作費を安く抑えることができるとともに、装置の小型化を実現させることができる。
【発明を実施するための最良の形態】
【００２０】
以下，本発明に係るカード用コネクタ装置を実施するための最良の形態を図に基づいて説明する。
【００２１】
［本実施形態に使用可能なカード］
図１は本発明のカード用コネクタ装置の一実施形態に使用される第１カードを示す図で、（ａ）図は平面図、（ｂ）図は側面図、図２は本実施形態に使用される第２カードを示す図で、（ａ）図は平面図、（ｂ）図は側面図、図３は本実施形態に使用される第３カードを示す図で、（ａ）図は平面図、（ｂ）図は側面図である。
【００２２】
図１に示す第１カード１は長さ寸法の長いカードであり、図２に示す第２カード２は第１カード１よりも短いカードであり、それぞれ先端部分に、信号の送受信に活用される接触部１ａ，２ａを備えている。図３に示す第３カード３は、第１カード１と第２カード２の中間の長さに形成されており、先端部分に信号の送受信に活用される２列の接触部、すなわち前列に配置される第１接触部３ａと、後列に配置される第２接触部３ｂとを備えている。本実施形態は、これらの３つのカード、すなわち第１カード１、第２カード２、及び第３カード３が使用可能になっている。
【００２３】
［本実施形態の構成］
図４は本実施形態に係るカード用コネクタ装置を示す図で、（ａ）図は平面図、（ｂ）図は（ａ）図のＡ−Ａ断面図、（ｃ）図は（ｂ）図のＡ１部拡大図、図５は図４に示す本実施形態において、挿入されたカードに対向する側を示す図、図６は図５に示すカードに対向する側を示す斜視図である。図７は本実施形態に備えられる第１カム板を示す図で、（ａ）図は平面図、（ｂ）図は側面図、（ｃ）図は斜視図である。図８も本実施形態に備えられる第２カム板を示す図で、（ａ）図は平面図、（ｂ）図は側面図、（ｃ）図は斜視図である。
【００２４】
本実施形態に係るカード用コネクタ装置は、図４〜６に示すように、上述した第１カード１と、第２カード２と、第３カード３とが、それぞれ選択的に挿入されるカード挿入口４ａと、所定の装着位置を形成する装着空間４ｂとを有するハウジング４とを備えている。このハウジング４には、第１カード１の接触部１ａに接触可能な第１コンタクト端子５と、この第１コンタクト端子５よりもカード挿入口４ａ側に配置され、第２カード２の接触部２ａに接触可能な第２コンタクト端子６と、第１コンタクト端子５と第２コンタクト端子６の間の位置に配置され、第３カード３の第１接触部３ａに接触可能な第３コンタクト端子７ａ、及び第３カード３の第２接触部３ｂに接触可能な第３コンタクト端子７ｂとを設けてある。
【００２５】
第１カード１の接触部１ａの設けられている面と第３カード３の接触部３ａの設けられている面は、装着空間４ｂに装着された状態において、第１カード１の接触面１ａの設けられている面の方がコンタクト端子に近い側に位置するようになっている。
【００２６】
また、図７にも示すように、第２コンタクト端子６が突出可能な開口部１１ｂを有し、第１カード１及び第３カード３の挿入に伴って第２コンタクト端子６のほぼ全体を第１カード１及び第３カード３から離す方向に移動させるとともに、第１カード１及び第３カード３が所定の装着位置にあるときに、第２コンタクト端子６が第１カード１及び第３カード３から離れるように、この第２コンタクト端子６を保持する第１カム板１１を備えている。第１カム板１１は、第２コンタクト端子６の先端部と係合可能な形状をしており、第１カード１及び第３カード３の挿入に伴って第２コンタクト端子６の先端部を第１カム板１１が押圧することで、第２コンタクト端子６のほぼ全体が第１カード１及び第３カード３から離れる方向に移動される。
【００２７】
この第１カム板１１は、回動軸１１ａを介してハウジング４に回動可能に取り付けられ、第２カード２の挿入に際して第２カード２と係合せず、第１カード１及び第３カード３の挿入に際して、これらの第１カード１及び第３カード３に係合して第２コンタクト端子６を移動させる先端部１１ｃを有している。この第１カム板１１は、回動軸１１ａがカード挿入口側で先端部１１ｃが装置奥側に位置するようにハウジング４に配置されている。また、この第１カム板１１は、第１カード１の挿入に伴って、第３コンタクト端子７ｂを第１カード１から離れる方向に移動させるように押圧する押圧部１１ｄを有している。この押圧部１１ｄは、例えば第１カム板１１の先端部１１ｃの付近に設けてあり、第３コンタクト端子７ｂの先端部と係合可能な形状となっている。先端部１１ｃは、開口部１１ｂよりも装置奥側にあるとともに、開口部１１ｂの装置奥側から任意の角度を持つ傾斜面を介して形成され、開口部１１ｂよりも装着空間４ｂ側に突出している。すなわち、カードが装着されていない状態において、先端部１１ｃが第２コンタクト端子６及び第３コンタクト端子７ｂよりも装着空間４ｂ側に突出するように形成されている。また、先端部１１ｃが任意の角度を持つ傾斜面を介して形成されていることで、第１カード１及び第３カード３が装着されて第１カム板１１が回動軸１１ａを中心として回動しても、先端部１１ｃが第２コンタクト端子６よりも常に装着空間４ｂ側に突出するようになっている。よって、第１カード１及び第３カード３が所定の装着位置にあるとき、第１カード１及び第３カード３が先端部１１ｃとのみ係合することになり、第２コンタクト端子６が第１カード１及び第３カード３と係合することはないものとなっている。
【００２８】
なお、第３カード３の挿入に伴って、第１カム板１１が第２コンタクト端子６を第３カード３に接触しないように移動させるが、このとき第１カム板１１の押圧部１１ｄは、第３コンタクト端子７ｂの第３カード３の第２接触部３ｂに対する接触を妨げることがないように、その形状寸法、及び配設高さ位置が予め設定されている。
【００２９】
また、本実施形態は、図８にも示すように、第３コンタクト端子７ａが突出可能な開口部１２ｂを有し、第１カード１の挿入に伴って第３コンタクト端子７ａを第１カード１から離す方向に移動させるとともに、第１カード１が所定の装着位置にあるときに、第３コンタクト端子７ａが第１カード１から離れるように、この第３コンタクト端子７ａを保持する別のカム板、すなわち第２カム板１２を備えている。
【００３０】
この第２カム板１２も、回動軸１２ａを介してハウジング４に回動可能に取り付けられ、第２カード２及び第３カード３の挿入に際して、これらの第２カード２及び第３カード３と係合せず、第１カード１の挿入に際して、この第１カード１に係合して第３コンタクト端子７ａを移動させる先端部１２ｃを有している。この第２カム板１２は、回動軸１２ａがカード挿入口側で先端部１２ｃが装置奥側に位置するようにハウジング４に配置されている。また、先端部１２ｃは、開口部１２ｂよりも装置奥側にあるとともに、開口部１２ｂの装置奥側から任意の角度を持つ傾斜面を介して形成され、開口部１２ｂよりも装着空間４ｂ側に突出している。すなわち、カードが装着されていない状態において、先端部１２ｃが第３コンタクト端子７ａよりも装着空間４ｂ側に突出するように形成されている。また、先端部１２ｃが任意の角度を持つ傾斜面を介して形成されていることで、第１カード１が装着されて第２カム板１２が回動軸１２ａを中心として回動しても、先端部１２ｃが第３コンタクト端子７ａよりも常に装着空間４ｂ側に突出するようになっている。よって、第１カード１が所定の装着位置にあるとき、第１カード１が先端部１２ｃとのみ係合することになり、第３コンタクト端子７ａが第１カード１と係合することはないものとなっている。また、第１カード１が装着されて第２カム板１２が回動するとき、第２カム板１２は第３コンタクト端子７ｂを押圧できるように構成されており、第３コンタクト端子７ｂは第１カード１から離れる方向に移動するようになっている。
【００３１】
さらに、本実施形態は、図５，６等に示すように、第１カード１、第２カード２、及び第３カード３に係合するスライド部材８と、このスライド部材８をカード排出方向へ、すなわちカード挿入口４ａの方向へ付勢するコイルばねから成る付勢部材９と、第１カード１、第２カード２、及び第３カード３のそれぞれが所定の装着位置に保持された状態で、スライド部材８をロックするロック機構１０とを備えている。このロック機構１０は、例えばスライド部材８に形成されたハートカム１０ａと、ハウジング４に揺動自在に取り付けられ、ハートカム１０ａに係合するピン部を有する揺動部材１０ｂとから成っている。
【００３２】
［本実施形態の動作］
図９は本実施形態に第１カードが挿入された状態を示す図で、（ａ）図は平面図、（ｂ）図は（ａ）図のＢ−Ｂ断面図、（ｃ）図は（ｂ）図のＢ１部拡大図、図１０は本実施形態に第１カードを挿入する途中における状態を示す図で、（ａ）図は平面図、（ｂ）図は（ａ）図のＢＸ−ＢＸ断面図、（ｃ）図は（ｂ）図のＢＸ１部拡大図、図１１は本実施形態に第２カードが挿入された状態を示す図で、（ａ）図は平面図、（ｂ）図は（ａ）図のＣ−Ｃ断面図、（ｃ）図は（ｂ）図のＣ１部拡大図、図１２は本実施形態に第３カードが挿入された状態を示す図で、（ａ）図は平面図、（ｂ）図は（ａ）図のＤ−Ｄ断面図、（ｃ）図は（ｂ）図のＤ１部拡大図である。
【００３３】
このように構成した本実施形態では、図４に示す初期状態におけるハウジング４のカード挿入口４ａから第１カード１が押し込まれると、この第１カード１によってスライド部材８が付勢部材９の付勢力に抗して装置奥側に向かって押し込まれる。これにより、ロック機構１０の揺動部材１０ｂがハートカム１０ａの往路上を相対的に移動する。また、第１カード１の挿入に伴って、この第１カード１と係合する先端部１１ｃを有する第１カム板１１が回動し、この第１カム板１１によって、第２コンタクト端子６のほぼ全体が第１カード１から離れる方向に移動する。また、この第１カム板１１の回動に伴ってその先端部１１ｃ付近に設けられた押圧部１１ｄが、第３コンタクト端子７ｂを第１カード１から離す方向に移動させる。さらに、第１カード１の挿入に伴って、この第１カード１と係合する先端部１２ｃを有する第２カム板１２が回動し、この第２カム板１２によって第３コンタクト端子７ａが第１カード１から離れる方向に移動する。さらに、第１カム板１１によって移動していた第３コンタクト端子７ｂを第１カード１からより一層離す方向に移動させる。これらの動作により、第１カード１の接触部１ａに対する第２コンタクト端子６及び第３コンタクト端子７ａ，７ｂの接触は防止される。
【００３４】
図１０は、第１カード１の挿入途上で、第１カード１が第１カム板１１を回動させ始めて、第１カム板１１の押圧部１１ｄにより第３コンタクト端子７ｂが押圧され始めた状態を示している。このように第３コンタクト端子７ｂが第１カム板１１の回動により第１カード１から離れる方向に移動することで、第１カード１の挿入過程において第３コンタクト端子７ｂが第１カード１により座屈などの損傷を被ることを抑制することができるものとなっている。第１カード１が図９に示すように、ハウジング４内の所定の装着位置に装着されて、第１カード１の接触部１ａに第１コンタクト端子５が接触すると、ロック機構１０の揺動部材１０ｂがハートカム１０ａのロック部に係止される。これにより、スライド部材８はロックされる。また、第１カム板１１によって第２コンタクト端子６が第１カード１の表面に接触しないように保持され、第２カム板１２によって第３コンタクト端子７ａ及び第３コンタクト端子７ｂが第１カード１の表面に接触しないように保持される。この状態において、第１カード１に対する信号の送受信が可能となる。
【００３５】
このような状態から、第１カード１を再び押し込むと、ロック機構１０のロックが解かれ、すなわちハートカム１０ａのロック部と揺動部材１０ｂとの係止が解かれ、スライド部材８は付勢部材９の付勢力によってカード排出方向、すなわちカード挿入口４ａの方向に摺動し、このスライド部材８によって第１カード１が排出される。この間、ロック機構１０の揺動部材１０ｂがハートカム１０ａの復路上を相対的に移動する。第１カード１がカード排出方向へ排出されると、第２カム板１２、及び第１カム板１１が回動して初期状態に復帰する。
【００３６】
また、初期状態において、ハウジング４のカード挿入口４ａから第２カード２が押し込まれると、この第２カード２によってスライド部材８が付勢部材９の付勢力に抗して装置奥側に向かって押し込まれる。これにより、ロック機構１０の揺動部材１０ｂがハートカム１０ａの往路上を相対的に移動する。この第２カード２の挿入に際しては、第１カム板１１及び第２カム板１２は、第２カード２と係合せず、初期の状態に保持される。
【００３７】
第２カード２が、図１１に示すように、ハウジング４内の所定の装着位置に装着されると、第２カード２の接触部２ａに第１カム板１１の開口部１１ｂから突出する第２コンタクト端子６が接触するとともに、ロック機構１０の揺動部材１０ｂがハートカム１０ａのロック部に係止される。これにより、スライド部材８はロックされる。この状態において、第２カード２に対する信号の送受信が可能となる。
【００３８】
このような状態から、第２カード２を再び押し込むと、ロック機構１０のロックが解かれ、スライド部材８は付勢部材９の付勢力によってカード挿入口４ａの方向に摺動し、このスライド部材８の揺動部材１０ｂがハートカム１０の復路上を相対的に移動する。カード挿入口４ａから突出した第２カード２の端部を把持して引き抜くと、初期状態に復帰する。
【００３９】
また、初期状態において、ハウジング４のカード挿入口４ａから第３カード３が押し込まれると、この第３カード３によってスライド部材８が付勢部材９の付勢力に抗して装置奥側に向かって押し込まれる。これにより、ロック機構１０の揺動部材１０ｂがハートカム１０ａの往路上を相対的に移動する。また、第３カード３の挿入に伴って、この第３カード３と係合する先端部１１ｃを有する第１カム板１１が回動し、この第１カム板１１によって第２コンタクト端子６のほぼ全体が第３カード３から離れる方向に移動する。これにより、第３カード３の第１接触部３ａ、及び第２接触部３ｂに対する第２コンタクト端子６の接触は防止される。
【００４０】
第３カード３が、図１１に示すように、ハウジング４内の所定の装着位置に装着されると、第３カード３の第１接触部３ａに第３コンタクト端子７ａが接触し、第３カード３の第２接触部３ｂに第３コンタクト端子７ａが接触するとともに、ロック機構１０の揺動部材１０ｂがハートカム１０ａのロック部に係止される。これにより、スライド部材８はロックされる。また、第１カム板１１によって第２コンタクト端子６が第３カード３の表面に接触しないように保持される。この状態において、第３カード３に対する信号の送受信が可能となる。
【００４１】
このような状態から、第３カード３を再び押し込むと、ロック機構１０のロックが解かれ、スライド部材８は付勢部材９の付勢力によってカード挿入口４ａの方向に摺動し、このスライド部材８によって第３カード３が排出される。この間、ロック機構１０の揺動部材１０ｂがハートカム１０ａの復路上を相対的に移動する。第３カード３がカード排出方向に排出されると、第１カム板１１が回動して初期状態に復帰する。
【００４２】
［本実施形態の効果］
上述したように本実施形態は、第２コンタクト端子６が突出可能な開口部１１ｂを有し、第１カード１及び第３カード３の挿入に伴って第２コンタクト端子６のほぼ全体を、第１カード１及び第３カード３から離れる方向に移動させるとともに、第１カード１及び第３カード３が所定の装着位置にあるときに、第２コンタクト端子６が第１カード１及び第３カード３から離れるように、この第２コンタクト端子６を保持する第１カム板１１を備えたことから、第１カード１及び第３カード３の表面に第２コンタクト端子６が接触することを防止できる。したがって、第１カード１あるいは第３カード３の表面に金属部材が形成されている場合に、このような金属部材に第２コンタクト端子６が接触することを防止でき、このような接触に伴う信号故障を生じる虞のない信頼性の高い装置が得られる。
【００４３】
また、第１カード１及び第３カード３が挿入された際に、第１カム板１１の回動支点から遠い先端部１１ｃを介して第２コンタクト端子６を移動させるので、第２コンタクト端子６の移動量を大きく確保することができる。したがって、第１カード１の接触部１ａ、及び第３カード３の第１接触部３ａ、第２接触部３ｂへの第２コンタクト端子６の接触を確実に防ぐことができ、装置の信頼性の向上に貢献する。
【００４４】
また、第１カード１が所定の装着位置に保持された際には、第２カム板１２によって第３コンタクト端子７ａが第１カード１から離れた状態に保たれるとともに、第３コンタクト端子７ｂが第１カード１から離れた状態に保たれるので、第１カード１の表面に、第３コンタクト端子７ａ，７ｂが接触することを防止でき、このことも装置の信頼性の向上に貢献する。
【００４５】
また、第１カード１が挿入された際に、第２カム板１２の回動支点から遠い先端部１２ｃを介して第３コンタクト端子７ａを移動させるので、第３コンタクト端子７ａの移動量を大きく確保できる。したがって、第１カード１の接触部１ａへの第３コンタクト端子７ａの接触を確実に防ぐことができ、このことも装置の信頼性の向上に貢献する。
【００４６】
また、スライド部材８、付勢部材９、及びロック機構１０を含むカード排出機構を備えたことから、所定の装着位置に装着されている第１カード１、第２カード２、及び第３カード３を容易に排出させることができる。
【００４７】
また、ハウジング４に第１コンタクト端子５、第２コンタクト端子６、及び第３コンタクト端子７ａ，７ｂを形成したことから、これらの第１コンタクト端子５、第２コンタクト端子６、及び第３コンタクト端子７ａ，７ｂのそれぞれに、第１カード１、第２カード２、第３カード３の対応する接触部１ａ、接触部２ａ、第１接触部３ａ及び第２接触部３ｂを接触させることにより、第１カード１、第２カード２、第３カード３のそれぞれの装着が可能となり、少なくとも３つのカードの装着を実現させることができ、優れた信号処理能力を確保できる。
【００４８】
また、上述したように第２コンタクト端子６が突出可能な開口部１１ｂを有し、第１カード１及び第３カード３の挿入に伴って第２コンタクト端子６を第１カード１及び第３カード３から離れる方向に移動させる第１カム板１１を備え、この第１カム板１１が、第１カード１の挿入に伴って第３コンタクト端子７ｂを第１カード１から離れる方向に移動させる押圧部１１ｄを有することから、第３コンタクト端子７ｂを回動させるための独立したカム板を設けなくて済み、第１カード１の挿入に際して、第２コンタクト端子６の第１カード１への接触の防止とともに、第３コンタクト端子７ｂの座屈などの損傷防止を実現できる。これにより、製作費を安くすることができるとともに、装置の小型化を実現させることができる。
【００４９】
なお、上記実施形態にあっては、第３カード３が、前列、後列のそれぞれに配置される第１接触部３ａ、第２接触部３ｂを有するものであり、これに応じて第３コンタクト端子として２つの第３コンタクト端子７ａ，７ｂを備えているが、例えば第３カード３が前列の第１接触部３ａのみを有するものである場合には、これに応じて１つの第３コンタクト端子７ａのみを設けた構成にすればよい。この場合、第１カム板１１に上述した押圧部１１ｄを設けることなく、第２カム板１２を併せて設けた構成とすることもでき、また、第１カム板１１に、第１カード１の挿入に伴ってこの第１カード１から離れる方向に第３コンタクト端子７ａを移動させる押圧部を設け、第２カム板１２を備えない構成とすることもできる。
【図面の簡単な説明】
【００５０】
【図１】本発明のカード用コネクタ装置の一実施形態に使用される第１カードを示す図で、（ａ）図は平面図、（ｂ）図は側面図である。
【図２】本実施形態に使用される第２カードを示す図で、（ａ）図は平面図、（ｂ）図は側面図である。
【図３】本実施形態に使用される第３カードを示す図で、（ａ）図は平面図、（ｂ）図は側面図である。
【図４】本実施形態に係るカード用コネクタ装置を示す図で、（ａ）図は平面図、（ｂ）図は（ａ）図のＡ−Ａ断面図、（ｃ）図は（ｂ）図のＡ１部拡大図である。
【図５】図４に示す本実施形態において、挿入されたカードに対向する側を示す図である。
【図６】図５に示すカードに対向する側を示す斜視図である。
【図７】本実施形態に備えられる第１カム板を示す図で、（ａ）図は平面図、（ｂ）図は側面図、（ｃ）図は斜視図である。
【図８】本実施形態に備えられる第２カム板を示す図で、（ａ）図は平面図、（ｂ）図は側面図、（ｃ）図は斜視図である。
【図９】本実施形態に第１カードが挿入された状態を示す図で、（ａ）図は平面図、（ｂ）図は（ａ）図のＢ−Ｂ断面図、（ｃ）図は（ｂ）図のＢ１部拡大図である。
【図１０】本実施形態に第１カードを挿入する途中における状態を示す図で、（ａ）図は平面図、（ｂ）図は（ａ）図のＢＸ−ＢＸ断面図、（ｃ）図は（ｂ）図のＢＸ１部拡大図である。
【図１１】本実施形態に第２カードが挿入された状態を示す図で、（ａ）図は平面図、（ｂ）図は（ａ）図のＣ−Ｃ断面図、（ｃ）図は（ｂ）図のＣ１部拡大図である。
【図１２】本実施形態に第３カードが挿入された状態を示す図で、（ａ）図は平面図、（ｂ）図は（ａ）図のＤ−Ｄ断面図、（ｃ）図は（ｂ）図のＤ１部拡大図である。
【符号の説明】
【００５１】
１    第１カード
１ａ  接触部
２    第２カード
２ａ  接触部
３    第３カード
３ａ  第１接触部
３ｂ  第２接触部
４    ハウジング
４ａ  カード挿入口
４ｂ  装着空間
５    第１コンタクト端子
６    第２コンタクト端子
７ａ  第３コンタクト端子
７ｂ  第３コンタクト端子
８    スライド部材
９    付勢部材
１０    ロック機構
１０ａ  ハートカム
１０ｂ  摺動部材
１１    第１カム板
１１ａ  回動軸
１１ｂ  開口部
１１ｃ  先端部
１１ｄ  押圧部
１２    第２カム板
１２ａ  回動軸
１２ｂ  開口部
１２ｃ  先端部
【図１】
2008071582.tif 000003
【図２】
2008071582.tif 000004
【図３】
2008071582.tif 000005
【図４】
2008071582.tif 000006
【図５】
2008071582.tif 000007
【図６】
2008071582.tif 000008
【図７】
2008071582.tif 000009
【図８】
2008071582.tif 000010
【図９】
2008071582.tif 000011
【図１０】
2008071582.tif 000012
【図１１】
2008071582.tif 000013
【図１２】
2008071582.tif 000014